(57)【要約】【課題】多くのマイナスイオンを吐出口から放出させることのできる空気清浄装置を提供することを目的とする。【解決手段】吸気口１と縦長の吐出口２を有した本体３と、本体３の吸気口１と吐出口２を連通する風路４と、風路４内に設けられる集塵フィルタ５とファン６およびイオン発生手段７とを備え、イオン発生手段７は吐出口２の近傍に配した平行な針状電極８と対向電極９からなり、針状電極８と対向電極９を風路４の横幅の略中央に配置することにより、多くのマイナスイオンを吐出口２から放出させることのできる空気清浄装置を得られる。【選択図】図１
2007311285.tif 000002
【特許請求の範囲】
【請求項１】
吸気口と縦長の吐出口を有した本体と、この本体の吸気口と吐出口を連通する風路と、この風路内に設けられる集塵フィルタとファンおよびイオン発生手段とを備え、前記イオン発生手段は前記吐出口の近傍に配した平行な針状電極と対向電極からなり、前記針状電極と対向電極を前記風路の横幅の略中央に配置した空気清浄装置。
【請求項２】
イオン発生手段は、針状電極を支持する高圧支持金具と、対向電極を支持するアース支持金具を有し、前記イオン発生手段を全て風路中に露出して構成した請求項１記載の空気清浄装置。
【請求項３】
吐出口近傍の風路に設けた曲部と、この曲部の上流側に設けた開口部とを備え、前記開口部を貫通してイオン発生手段を風路中に設置した請求項１または２記載の空気清浄装置。
【請求項４】
開口部の端片と針状電極との間に距離大なる非放電空間を設けた請求項３記載の空気清浄装置。
【請求項５】
２本の針状電極を、対向電極を中心にして対称位置に配置した請求項１〜４記載の空気清浄装置。
【請求項６】
複数のイオン発生手段を、縦長の吐出口の近傍に略等間隔に配置した請求項１〜４記載の空気清浄装置。
【請求項７】
吸気口の近傍に設けられる集塵フィルタをマイナスに帯電した静電フィルタにより構成した請求項１〜６記載の空気清浄装置。
【請求項８】
集塵フィルタをプラスに帯電した静電フィルタにより構成した請求項１〜６記載の空気清浄装置。
【請求項９】
静電フィルタの少なくとも１面に密接する金属フィルタを設け、前記金属フィルタをアース接続し、構成した請求項７または８記載の空気清浄装置。
【請求項１０】
金属フィルタを格子形状または金網形状とした請求項９記載の空気清浄装置。
【発明の詳細な説明】
【技術分野】
【０００１】
本発明は、イオン発生手段を設けた空気清浄装置に関する。
【背景技術】
【０００２】
従来、この種の空気清浄装置の一例としてイオン発生装置を設けた送風装置が知られている（例えば、特許文献１参照）。
【０００３】
以下、その送風装置について図１４を参照にしながら説明する。
【０００４】
図に示すように、枠体１０１の主壁部１０２に空気の吸入口１０３が形成されるとともに、主壁部１０２の内側に吸入口１０３と対応してファン１０４を設け、枠体１０１の主壁部１０２の内側に壁部１０５を設け、モータ１０６によりファン１０４を回動させることにより、吸入口１０３より枠体１０１内に導かれた空気は、壁部１０５内に回転しながら枠体１０１の吹出口１０７より吹き出される。
【０００５】
そして、イオン発生装置１０８が壁部１０５の内面に設けられ、イオン発生装置１０８は針状電極１０９と板状電極１１０により構成されている。
【０００６】
また、この種の空気清浄装置の一例として帯電フィルタを設けた空気清浄装置が知られている（例えば、特許文献２参照）。
【０００７】
以下、その空気清浄装置について図１５および図１６を参照しながら説明する。
【０００８】
図に示すように、帯電フィルタユニット１１１を通過した清浄空気を吐出する吸引ファン１１２を設け、帯電フィルタユニット１１１は箱体１１３内にイオン電極部１１４と、帯電フィルタとしての集塵電極１１５とフィルタ１１６、１１７を設け構成している。
【特許文献１】特開２００２−３１０９５号公報（［０００９］、［００１０］、図１）
【特許文献２】特開平５−１３８０６９号公報（［００１２］、［００１３］、図１、図２）
【発明の開示】
【発明が解決しようとする課題】
【０００９】
このような従来の送風装置では、イオン発生装置１０８が風路の壁部１０５近くで、吹出口１０７とは離れた内部にあるため、風路の壁部１０５にマイナスイオンが付着しやすくなり、多くのマイナスイオンを吹出口１０７から吹き出すことができないという課題があり、多くのマイナスイオンを吹出口１０７から吹き出すようにすることが要求されている。
【００１０】
また、従来の空気清浄装置では、吸込側にイオン電極部１１４と集塵電極１１５よりなるイオン発生装置と帯電フィルタユニット１１１があるため、粉塵にマイナスイオンが十分に帯電されず、集塵効率が充分に向上できないという課題があり、集塵効率を高めることが要求されている。
【００１１】
本発明は、このような従来の課題を解決するものであり、多くのマイナスイオンを吐出口から放出させることができ、また、集塵効率を向上することができる空気清浄装置を提供することを目的としている。
【課題を解決するための手段】
【００１２】
本発明の空気清浄装置は上記目的を達成するために、吸気口と縦長の吐出口を有した本体と、この本体の吸気口と吐出口を連通する風路と、この風路内に設けられる集塵フィルタとファンおよびイオン発生手段とを備え、前記イオン発生手段は前記吐出口の近傍に配した平行な針状電極と対向電極からなり、前記針状電極と対向電極を前記風路の横幅の略中央に設置したものである。
【００１３】
この手段により、マイナスイオンは風路の壁面への付着量を低減することができ、多くのマイナスイオンを吐出口から放出させることができる空気清浄装置が得られる。
【００１４】
また、他の手段は、イオン発生装置は、針状電極を支持する高圧支持金具と、対向電極を支持するアース支持金具を有し、前記イオン発生手段を全て風路中に露出して構成したものである。
【００１５】
この手段により、より多くのマイナスイオンを発生させることのできる空気清浄装置が得られる。
【００１６】
また、他の手段は、吐出口近傍の風路に設けた曲部と、この曲部の上流側に設けた開口部とを備え、前記開口部を貫通してイオン発生手段を風路中に設置したものである。
【００１７】
この手段により、イオン発生手段を無理なく適切な位置に配置することができる空気清浄装置が得られる。
【００１８】
また、他の手段は、開口部の端片と針状電極との間に距離大なる非放電空間を設けたものである。
【００１９】
この手段により、マイナスイオンが途中で消失せずに吐出口からマイナスイオンを多く発生することができる空気清浄装置が得られる。
【００２０】
また、他の手段は、２本の針状電極を、対向電極を中心にして対称位置に配置したものである。
【００２１】
この手段により、省スペースでマイナスイオンの発生量を増やすことができる空気清浄装置が得られる。
【００２２】
また、他の手段は、複数のイオン発生手段を、縦長の吐出口の近傍に略等間隔に配置したものである。
【００２３】
この手段により、吐出口から大量のマイナスイオンを均等に発生することができる空気清浄装置が得られる。
【００２４】
また、他の手段は、吸気口の近傍に設けられる集塵フィルタをマイナスに帯電した静電フィルタにより構成したものである。
【００２５】
この手段により、集塵効率を上げることができる空気清浄装置が得られる。
【００２６】
また、他の手段は、集塵フィルタをプラスに帯電した静電フィルタにより構成したものである。
【００２７】
この手段により、集塵効率をさらに向上させることのできる空気清浄装置が得られる。
【００２８】
また、他の手段は、静電フィルタの少なくとも１面に密接する金属フィルタを設け、前記金属フィルタをアース接続し構成したものである。
【００２９】
この手段により、集塵効率の低下を防ぐことができる空気清浄装置が得られる。
【００３０】
また、他の手段は、金属フィルタを格子状または金網形状としたものである。
【００３１】
この手段により、安定してアース機能を維持することができる空気清浄装置が得られる。
【発明の効果】
【００３２】
本発明によれば、マイナスイオンは風路の壁面への付着量を低減することができ、多くのマイナスイオンを吐出口から放出させることができるという効果のある空気清浄装置を提供できる。
【００３３】
また、イオン発生手段を無理なく適切な位置に配置することができるという効果のある空気清浄装置を提供できる。
【００３４】
また、省スペースでマイナスイオンの発生量を増やすことができるという効果のある空気清浄装置を提供できる。
【００３５】
また、集塵効率を上げることができるという効果のある空気清浄装置を提供できる。
【００３６】
また、集塵効率の低下を防ぐことができるという効果のある空気清浄装置を提供できる。
【００３７】
また、安定してアース機能を維持することができるという効果のある空気清浄装置を提供できる。
【発明を実施するための最良の形態】
【００３８】
本発明の請求項１記載の発明は、吸気口と縦長の吐出口を有した本体と、この本体の吸気口と吐出口を連通する風路と、この風路内に設けられる集塵フィルタとファンおよびイオン発生手段とを備え、前記イオン発生手段は前記吐出口の近傍に配した平行な針状電極と対向電極とからなり、前記針状電極と対向電極を前記風路の横幅の略中央に配置したものであり、一般に針状電極より発生されたマイナスイオンは風路の壁面に吸収されるのでマイナスイオンの空中への発生量が減るものであるが、平行する針状電極と対向電極を吐出口の近傍かつ風路の略中央に設けているので、横幅小なる風路の壁面への付着量を低減することができ、多くのマイナスイオンを吐出口から放出させることができるという作用を有する。
【００３９】
また、請求項２記載の発明は、イオン発生手段は針状電極を支持する高圧支持金具と、対向電極を支持するアース支持金具を有し、前記イオン発生手段を全て風路中に露出したものであり、マイナスイオンを発生させる針状電極だけでなく高圧支持金具も含めて全て風路中に露出することにより、針状電極の先端から高圧支持金具の接続部まで全体を風路の略中央に配置することができるので、針状電極は風路の壁面との距離を大きくとることができ、合成樹脂製の風路の壁面へのマイナスイオンの吸収をさらに少なくして、より多くのマイナスイオンを発生させることができるという作用を有する。
【００４０】
また、請求項３記載の発明は、吐出口は近傍の風路に設けた曲部と、この曲部の上流側に設けた開口部とを備え、前記開口部を貫通してイオン発生手段を風路中に設置したものであり、風路の曲部の上流側に設けた開口部を貫通してイオン発生手段を設置することで、風路の周りにイオン発生手段の設置スペースがない場合に、イオン発生手段を吐出方向に合せて無理なく適切な位置に配置することができるという作用を有する。
【００４１】
また、請求項４記載の発明は、開口部の端片と針状電極との間に距離大なる非放電空間を設けたものであり、開口部の面積を大きく取り、開口部の端片と針状電極との距離を充分に設けることで、マイナスイオンを開口部の端片に逃がすことなく吐出口からマイナスイオンを多く発生することができるという作用を有する。
【００４２】
また、請求項５記載の発明は、２本の針状電極を、対向電極を中心にして対称位置に配置したものであり、１つの対向電極を共有してマイナスイオンを発生させる針状電極を２つに増やすことにより、省スペースでマイナスイオンの発生量を増やすことができるという作用を有する。
【００４３】
また、請求項６記載の発明は、複数のイオン発生手段を、縦長の吐出口の近傍に略等間隔に配置したものであり、マイナスイオンを発生させる針状電極を縦長の吐出口に合せて等間隔に配置することにより、吐出口から大量のマイナスイオンを均等に発生することができるという作用を有する。
【００４４】
また、請求項７記載の発明は、吸気口の近傍に設けられる集塵フィルタをマイナスに帯電した静電フィルタにより構成したものであり、まず、本体の吐出口側に設けたイオン発生装置により、室内に大量にマイナスイオンが放出されるので、浮遊する粉塵はマイナスイオンに帯電され、次に帯電した粉塵が本体の吸込口より吸引されると、静電フィルタの機械的なフィルタ作用で大きな粒子は濾過されて捕らえられるとともに、マイナス電位に分かれて織り込まれたフィルタ繊維間の静電作用で、微細粉塵はゼロ電位側に集塵されるので、集塵量を増やすことができ、集塵効率を上げることができるという作用を有する。
【００４５】
また、請求項８記載の発明は、集塵フィルタをプラスに帯電した静電フィルタにより構成したものであり、吐出口側に設けたイオン発生装置により大量のマイナスイオンが室内の粉塵に広範囲に帯電し、静電フィルタをプラス帯電させることにより、マイナス帯電した粉塵が本体の吸込口より吸引されると静電フィルタの機械的なフィルタ作用で大きな粒子は濾過し、捕らえられるとともに、プラス電位とゼロ電位に分かれて織り込まれたフィルタ繊維間の静電作用で、マイナスイオン帯電した微細粉塵はプラス電位側に集塵されやすくなり、集塵効率をさらに向上することができるという作用を有する。
【００４６】
また、請求項９記載の発明は、静電フィルタの少なくとも１面に密接する金属フィルタを設け、前記金属フィルタをアース接続し、構成したものであり、静電フィルタに密接した金属フィルタをアース接続することにより、静電フィルタに付着する粉塵量が増加してマイナスイオン電位が上昇した場合に、マイナスイオンをアース放電することにより、静電効率の低下を防ぐことができるという作用を有する。
【００４７】
また、請求項１０記載の発明は、金属フィルタを格子形状または金網形状としたものであり、格子形状または金網形状とした金属フィルタは、静電フィルタの表面に広く均一に密接できるので、アース機能を充分に発揮するとともに、金属フィルタが一部で断線しても全体として安定してアース機能を維持することができるという作用を有する。
【００４８】
以下、本発明の実施の形態について図面を参照しながら説明する。
【００４９】
（実施の形態１）
図１に示すように、吸気口１と縦長の吐出口２を有した本体３と、本体３の吸気口１と吐出口２を連通するように壁面を合成樹脂で形成した風路４と、風路４内に設けられる集塵フィルタ５とファン６およびイオン発生手段７とを備え、イオン発生手段７は吐出口２の近傍に配した平行な針状電極８と対向電極９とからなり、針状電極８と対向電極９を風路４の横幅の略中央に設置した構成とする。
【００５０】
上記構成において、空気清浄装置が運転され、ファン６が駆動すると吸気口１より室内の塵埃を含む空気が吸気され、集塵フィルタ５により集塵され浄化された空気が風路４を通り吐出口２に送られる。このとき、吐出口２の近傍に配した平行な針状電極８と対向電極９によりなるイオン発生手段７により発生されたマイナスイオンが浄化された空気とともに吐出口２より放出される。
【００５１】
一般に針状電極８より発生されたマイナスイオンが風路４の壁面に吸収され、マイナスイオンの放出量を減らしてしまうのであるが、針状電極８を横幅小なる風路４の略中央に設置することにより、針状電極８の先端から放出されるマイナスイオンは風路４の壁面への付着量を低減することができる。
【００５２】
また、風路４の壁面は合成樹脂で形成されることが多く、マイナスイオンが帯電しやすい性質を有しているので、上記のように風路４の壁面へのマイナスイオンの吸収をできるだけ少なく抑制する構成とすることにより、大量のマイナスイオンを吐出口２から放出させることができることとなる。
【００５３】
（実施の形態２）
図２に示すように、イオン発生手段７Ａを、針状電極８Ａを支持する高圧支持金具１０と、対向電極９Ａを支持するアース支持金具１１により形成し、イオン発生手段７Ａを全て風路４Ａに露出して構成する。
【００５４】
上記構成において、マイナスイオンを発生させる針状電極８Ａだけでなく高圧支持金具１０も含めて全て風路４Ａ中に露出することにより針状電極８Ａの先端から高圧支持金具１０の接続部まで全体を風路４Ａの略中央に配置することができるので、針状電極８Ａは風路４Ａの壁面との距離を大きくとることができ、合成樹脂製の風路４Ａの壁面へのマイナスイオンの吸収を少なくして、より多くのマイナスイオンを発生させることができることとなる。
【００５５】
（実施の形態３）
図３〜図５に示すように、吐出口２Ａの近傍の風路４Ｂに設けた曲部１２と、曲部１２の上流側に設けた開口部１３とを備え、開口部１３を貫通して針状電極８Ｂと対向電極９Ｂよりなるイオン発生手段７Ｂを風路４Ｂ中に設置し、開口部１３の端片１４と針状電極８Ｂとの間に距離大なる非放電空間１５を設け構成する。
【００５６】
上記構成において、吐出口２Ａ近傍の風路４Ｂに設けた曲部１２と曲部１２の上流側に設けた開口部１３とを備え、開口部１３を貫通してイオン発生手段７Ｂを風路４Ｂ中に設置したので、風路４Ｂの曲部１２の上流側に設けた開口部１３を貫通してイオン発生手段７Ｂを設置することで、風路４Ｂの周りにイオン発生手段７Ｂの設置スペースがない場合に、イオン発生手段７Ｂを吐出方向に合せて無理なく適切な位置に配置することができることとなる。
【００５７】
また、開口部１３の端片１４と針状電極８Ｂとの間に距離大なる非放電空間１５を設けたので、開口部１３の面積を大きく取り開口部１３の端片１４と針状電極８Ｂとの距離を充分に設けることで、マイナスイオンを開口部１３の端片１４に逃がすことなく、マイナスイオンを多く発生させることができることとなる。
【００５８】
（実施の形態４）
図６に示すように、２本の針状電極８Ｃを、対向電極９Ｃを中心にして対称位置に配置した構成とする。
【００５９】
上記構成において、１つの対向電極９Ｃを共用してマイナスイオンを発生させる針状電極８Ｃを２つに増やすことにより、省スペースでマイナスイオンの発生量を増大することができることとなる。
【００６０】
（実施の形態５）
図７に示すように、複数の針状電極８Ｄと対向電極９Ｄとからなるイオン発生手段７Ｃを、縦長の吐出口２Ｂの近傍に略等間隔に配置した構成とする。
【００６１】
上記構成において、マイナスイオンを発生させる針状電極８Ｄを縦長の吐出口２Ｂに合せて等間隔に配置することにより、吐出口２Ｂから大量のマイナスイオンを均等に発生することができ、室内の浮遊する塵埃にイオンをもれなく付着させて、空気清浄効率を高めることができる。
【００６２】
（実施の形態６）
図８に示すように、吸気口１Ａの近傍に設けられる集塵フィルタをマイナスに帯電した静電フィルタ１６により構成する。
【００６３】
上記構成において、まず、本体３Ａの吐出口２Ｃ側に設けたイオン発生手段７Ｄにより、室内に大量にマイナスイオンが放出されるので、浮遊する粉塵はマイナスに帯電され、帯電した粉塵が本体３Ａの吸気口１Ａより吸引されると静電フィルタ１６の機械的なフィルタ作用で大きな粒子は濾過し捕らえられる。次にマイナス電位とゼロ電位に分かれて織り込まれたフィルタ繊維間の静電作用で、微細粉塵はゼロ電位側に集塵されるので、集塵量を増やすことができ、集塵効率を上げることができることとなる。
【００６４】
（実施の形態７）
図９に示すように、集塵フィルタをプラスに帯電した静電フィルタ１６Ａにより構成する。
【００６５】
上記構成において、まず、吐出口２Ｄ側に設けたイオン発生手段７Ｅにより大量のマイナスイオンが室内に放散され、マイナスイオンが室内の粉塵に広範囲に帯電し、静電フィルタ１６Ａをプラスに帯電させることにより、マイナスに帯電した粉塵が本体３Ｂの吸気口１Ｂより吸引されると静電フィルタ１６Ａの機械的なフィルタ作用で大きな粒子は濾過し捕らえられる。
【００６６】
次にプラス電位とゼロ電位に分かれて織り込まれたフィルタ繊維間の静電作用でマイナス帯電した微細粉塵はプラス電位側に集塵されやすくなり、集塵効率をさらに向上することができることとなる。
【００６７】
（実施の形態８）
図１０および図１１に示すように、静電フィルタ１６Ｂの少なくとも１面に密接する金属フィルタ１７を設け、金属フィルタ１７をアース接続し構成する。
【００６８】
上記構成において、静電フィルタ１６Ｂに付着する粉塵量が増加してマイナス電位が上昇した場合に、マイナスイオンをアース放電することにより、静電効率の低下を防ぐことができることとなる。
【００６９】
（実施の形態９）
図１２および図１３に示すように、金属フィルタ１７Ａを格子形状または金網形状とした構成とする。
【００７０】
上記構成において、格子形状または金網形状とした金属フィルタ１７Ａは、静電フィルタ１６Ｃの表面に広く均一に密接できるので、アース機能を充分に発揮するとともに、金属フィルタ１７Ａが一部で断線しても全体として安定してアース機能を維持することができることとなる。
【産業上の利用可能性】
【００７１】
本発明にかかる空気清浄装置は、多くのマイナスイオンを放出するという効果を奏し、静電フィルタを設けた空気清浄装置として有用である。
【図面の簡単な説明】
【００７２】
【図１】（ａ）本発明の実施の形態１の空気清浄装置の断面図、（ｂ）同空気清浄装置のイオン発生手段を示す部分拡大斜視図
【図２】本発明の実施の形態２の空気清浄装置のイオン発生手段の拡大斜視図
【図３】本発明の実施の形態３の空気清浄装置の断面図
【図４】同空気清浄装置の吐出口部分の拡大図
【図５】同空気清浄装置のイオン発生手段を示す部分拡大斜視図
【図６】本発明の実施の形態４の空気清浄装置の電極部分を示す拡大斜視図
【図７】本発明の実施の形態５の空気清浄装置のイオン発生手段の拡大斜視図
【図８】本発明の実施の形態６の空気清浄装置の断面図
【図９】本発明の実施の形態７の空気清浄装置の断面図
【図１０】本発明の実施の形態８の空気清浄装置の断面図
【図１１】同空気清浄装置の金属フィルタを示す静電フィルタの斜視図
【図１２】本発明の実施の形態９の空気清浄装置の断面図
【図１３】同空気清浄装置の金属フィルタを示す静電フィルタの斜視図
【図１４】従来の送風装置の概略平面図
【図１５】同他の空気清浄装置の概略構成図
【図１６】同空気清浄装置の帯電フィルタユニットの詳細構成図
【符号の説明】
【００７３】
１      吸気口
１Ａ    吸気口
１Ｂ    吸気口
２      吐出口
２Ａ    吐出口
２Ｂ    吐出口
２Ｃ    吐出口
２Ｄ    吐出口
３      本体
３Ａ    本体
３Ｂ    本体
４      風路
４Ａ    風路
４Ｂ    風路
５      集塵フィルタ
６      ファン
７      イオン発生手段
７Ａ    イオン発生手段
７Ｂ    イオン発生手段
７Ｃ    イオン発生手段
７Ｄ    イオン発生手段
７Ｅ    イオン発生手段
８      針状電極
８Ａ    針状電極
８Ｂ    針状電極
８Ｃ    針状電極
８Ｄ    針状電極
９      対向電極
９Ａ    対向電極
９Ｂ    対向電極
９Ｃ    対向電極
９Ｄ    対向電極
１０    高圧支持金具
１１    アース支持金具
１２    曲部
１３    開口部
１４    端片
１５    非放電空間
１６    静電フィルタ
１６Ａ  静電フィルタ
１６Ｂ  静電フィルタ
１６Ｃ  静電フィルタ
１７    金属フィルタ
１７Ａ  金属フィルタ
【図１】
2007311285.tif 000003
【図２】
2007311285.tif 000004
【図３】
2007311285.tif 000005
【図４】
2007311285.tif 000006
【図５】
2007311285.tif 000007
【図６】
2007311285.tif 000008
【図７】
2007311285.tif 000009
【図８】
2007311285.tif 000010
【図９】
2007311285.tif 000011
【図１０】
2007311285.tif 000012
【図１１】
2007311285.tif 000013
【図１２】
2007311285.tif 000014
【図１３】
2007311285.tif 000015
【図１４】
2007311285.tif 000016
【図１５】
2007311285.tif 000017
【図１６】
2007311285.tif 000018